(57)【要約】      （修正有）【課題】  光テープ媒体について充分な高記録密度化を図るのに適した光テープ装置を提供すること。【解決手段】  本発明の光テープ装置Ｘ１は、光テープ媒体１０と、光テープ媒体１０の幅方向Ｄに並ぶ複数の光学ヘッド２０から各列がなり且つ光テープ媒体１０の延び方向に並ぶ複数列の光学ヘッド２０とを備える。異なる列に属する光学ヘッド２０どうしは、幅方向Ｄにおいて位置ずれしている。【選択図】  図１
2006286070.tif 000002
【特許請求の範囲】
【請求項１】
光テープ媒体と、
前記光テープ媒体の幅方向に並ぶ複数の光学ヘッドから各列がなり、且つ、前記光テープ媒体の延び方向に並ぶ、複数列の光学ヘッドと、を備え、
異なる列に属する光学ヘッドどうしは、前記幅方向において位置ずれしている、光テープ装置。
【請求項２】
前記光学ヘッドの総数をＮ0とし、各列の光学ヘッド数をＮ1とし、列数をＮ2とし、光テープ幅をＷ1とし、光学ヘッド幅をＷ2とすると、下記の式（１）〜（３）が成立する、請求項１に記載の光テープ装置。
【数１】
2006286070.tif 000004
【請求項３】
前記光学ヘッドの総数は２n（ｎは２以上の整数）である、請求項１または２に記載の光テープ装置。
【請求項４】
前記光学ヘッドは、全て、前記光テープ媒体の幅以内に位置する、請求項１から３のいずれか一つに記載の光テープ装置。
【発明の詳細な説明】
【技術分野】
【０００１】
本発明は、光テープ媒体について光学ヘッドを利用して情報記録や情報再生を実行するための光テープ装置に関する。
【背景技術】
【０００２】
光学的に情報が読み取られる光メディアの一形態として、光テープ媒体が知られている。光テープ媒体は、光磁気記録用の記録膜や相変化記録用の記録膜がテープ基材上に形成されてなり、当該光テープ媒体に対向配置される所定の光学ヘッドを利用して情報記録や情報再生が実行される媒体である。このような光テープ媒体に関する技術については、例えば下記の特許文献１，２に記載されている。
【０００３】
【特許文献１】特開平５−２１７１９７号公報
【特許文献２】特開平１１−３５３６９６号公報
【０００４】
図８および図９は、光テープ媒体について情報記録や情報再生を実行するための従来の光テープ装置Ｘ２の一部の構成を模式的に表す。図８は、当該部分構成の平面図であり、図９は、図８の線IX−IXに沿った拡大断面図である。
【０００５】
光テープ装置Ｘ２は、光テープ媒体である光テープ８１と、単一の光学ヘッド８２とを備える。光テープ８１は、テープ基材８１ａおよび記録膜８１ｂを含む積層構造を有し、図８に示す矢印Ａ方向に送り出し制御可能とされ且つ矢印Ｂ方向にも送り出し制御可能とされている。記録膜８１ｂには、相互に平行にテープ延び方向に延びる複数条のトラック（図示せず）が構成されている。光学ヘッド８２は、対物レンズなどを内部に備え、光テープ８１の記録膜８１ｂに向けて所定箇所からレーザビームＬを出射することができるように構成されている。図９および後出の図１１においては、レーザビームＬを模式的に太線で表す。光学ヘッド８２が光磁気記録用途に構成されている場合には、当該光学ヘッド８２は、光テープ８１の記録膜８１ｂに記録磁界を印加するための磁界印加手段（図示せず）を内部に備える。また、光学ヘッド８２は、レーザビームＬについて焦点サーボ可能に、光テープ８１の幅方向Ｄ（即ちトラック横断方向）に位置決め制御可能に、且つ、トラッキングサーボ可能に、構成されている。
【０００６】
光テープ８１への情報記録や情報再生の実行時には、光学ヘッド８２を所定の幅方向位置に位置決め制御した後、光テープ８１を矢印Ａ方向または矢印Ｂ方向に適時送り出し制御しつつ、光学ヘッド８２から光テープ８１の記録膜８１ｂの目的トラックに向けてレーザビームＬを照射する。このようなレーザビーム照射を伴う光学ヘッド８２の動作により、レーザビームＬのエネルギを利用して記録膜８１ｂに所定の信号が書き込まれ、或は、記録膜８１ｂに既に書き込まれている信号が、レーザビームＬの反射光などを利用して読み取られる。このような情報記録や情報再生の実行中には、レーザビームＬについて焦点サーボをかけ続け、且つ、光学ヘッド８２についてトラッキングサーボをかけ続ける。
【０００７】
一方、光テープ装置において記録処理速度や再生処理速度を高める手法としては、情報記録や情報再生を複数のトラックについて並列的に実行するように（即ち、パラレル転送される記録信号を受けて情報記録を実行したり、再生信号をパラレル転送するように）構成することが挙げられる。図１０および図１１は、そのようなパラレル転送を伴う情報記録や情報再生を実行可能に構成された光テープ装置Ｘ３の一部の構成を模式的に表す。図１０は、当該部分構成の平面図であり、図１１は、図１０の線XI−XIに沿った拡大断面図である。
【０００８】
光テープ装置Ｘ３は、光テープ８１と、４個の光学ヘッド８２（８２Ａ〜８２Ｄ）とを備える。光テープ８１および各光学ヘッド８２の構成は、上述の光テープ装置Ｘ２におけるのと同一である。光テープ装置Ｘ３では、４個の光学ヘッド８２は、光テープ８１の幅方向Ｄに相互に離隔して一列に配されている。光テープ８１の記録膜８１ｂには複数条のトラックが構成されるところ、各光学ヘッド８２には、幅方向Ｄにおける所定領域内の複数のトラックが割り当てられる。例えば図１１に示すように、光学ヘッド８２Ａ〜８２Ｄには、各々、領域Ｒａ〜Ｒｄ内に位置する複数のトラックが割り当てられる。光テープ装置Ｘ３での情報記録や情報再生の実行時には、各光学ヘッド８２は、割り当てられた複数のトラックから適宜選択される目的トラックに対して動作する。光テープ装置Ｘ３では、このようにして、情報記録や情報再生が複数のトラックについて並列的に実行される。
【０００９】
光テープ装置Ｘ３では、光テープ８１の幅は例えば１２ｍｍ程度であり、各光学ヘッド８２の幅（光テープ８１の幅方向Ｄの寸法）は例えば３ｍｍ程度であり、記録膜８１ｂにて構成される各トラックの幅は例えば１μｍ程度であり、各光学ヘッド８２から記録膜８１ｂに照射されるレーザビームＬが光テープ８１表面に形成する照射スポットの直径は例えば０.４μｍ程度であるところ、幅方向Ｄにおいて４個の光学ヘッド８２は比較的密に配されており、且つ、各光学ヘッド８２の幅はトラック幅やレーザビーム径よりも相当程度に大きい。そのため、光学ヘッド８２自体の大きな構造が障害となり、隣り合う所定の２個の光学ヘッド８２は一定の距離を下回っては接近することができず、光学ヘッド８２Ａ〜８２Ｄのいずれによってもレーザビーム照射できない複数の領域、即ち、情報記録や情報再生に利用できるトラックを事実上構成することができない複数の空き領域Ｒｖが、記録膜８１ｂにおいて各々相当程度に広く生じてしまうのである。一定の距離とは、隣り合う所定の２個の光学ヘッド８２の図１１中左側の光学ヘッド８２の右端からレーザビーム出射箇所までの寸法と、図１１中右側の光学ヘッド８２の左端からレーザビーム出射箇所までの寸法との、合計寸法に相当する距離である。このように、光テープ装置Ｘ３では、情報記録や情報再生に利用できるトラックを事実上構成することができない空き領域Ｒｖが記録膜８１ｂに生じてしまい、且つ、当該空き領域Ｒｖは相当程度に広い。このような光テープ装置Ｘ３では、光テープ８１に対して充分に高い記録密度で情報を記録することができず、従って、光テープ装置Ｘ３は、光テープ８１の高記録密度化にとって好ましくない。
【発明の開示】
【発明が解決しようとする課題】
【００１０】
本発明は、以上のような事情の下で考え出されたものであり、光テープ媒体について充分な高記録密度化を図るのに適した光テープ装置を提供することを目的とする。
【課題を解決するための手段】
【００１１】
本発明により提供される光テープ装置は、光テープ媒体と、光テープ媒体の幅方向に並ぶ複数の光学ヘッドから各列がなり且つ光テープ媒体の延び方向に並ぶ、複数列の光学ヘッドとを備え、光学ヘッドを利用して光テープ媒体について情報記録および／または情報再生を実行できるように構成されたものである。本光テープ装置では、異なる列に属する光学ヘッドどうしは、光テープ媒体の幅方向において位置ずれしている。光テープ媒体には、その延び方向に延びる複数のトラックが構成される。光学ヘッドは、光テープ媒体に向けてレーザビームを出射することができるように構成されたものである。また、光テープ媒体の幅方向における光学ヘッドの位置とは、光学ヘッドから出射されたレーザビームが光テープ媒体上に形成する照射スポットの、光テープ媒体幅方向における位置とする。
【００１２】
このような構成の光テープ装置においては、所定の一列に属して隣り合う光学ヘッドが所定距離を下回って接近することができないために当該一列に属するいずれの光学ヘッドによってもレーザビーム照射することができない領域（光テープ媒体幅方向において想定される領域）が光テープ媒体にて生じる場合、他の少なくとも一列の複数の光学ヘッドを、当該少なくとも一列に属するいずれかの光学ヘッドから当該領域に対してレーザビーム照射することができるように、配置することができる。すなわち、本光テープ装置では、光テープ媒体の、光テープ媒体幅方向における全領域に対し、いずれかの光学ヘッドからレーザビーム照射するように構成することが可能なのである。したがって、本光テープ装置によると、光テープ媒体の、光テープ媒体幅方向における全領域に、情報記録や情報再生に利用できるトラックを構成することができる（すなわち、情報記録や情報再生に利用できるトラックを事実上構成することができない空き領域が光テープ媒体にて生じてしまうのを回避することができる）。このような光テープ装置は、記録装置として構成される場合には光テープ媒体に対して充分に高い記録密度で情報記録を実行するのに適し、従って、光テープ媒体について充分な高記録密度化を図るのに適する。
【００１３】
好ましくは、光学ヘッドの総数をＮ0とし、各列の光学ヘッド数をＮ1とし、列数をＮ2とし、光テープ幅をＷ1とし、光学ヘッド幅をＷ2とすると、下記の式（１）〜（３）が成立する（式（１）および式（２）で用いられる演算子floorは、floorＸの形のときに、Ｘを超えない最大の整数を与えるものである。例えばfloor[５／２]は２である）。このような構成によると、光学ヘッドの総数が２n（ｎは２以上の整数）である場合に特に、光テープ媒体に対して光学ヘッドを効率よく配置することができる。
【００１４】
【数１】
2006286070.tif 000003
【００１５】
好ましくは、光学ヘッドの総数は２n（ｎは２以上の整数）である。このような構成は、本光テープ装置において情報記録や情報再生を実行する際にパラレル転送を実現するうえで好適である。
【００１６】
好ましくは、光学ヘッドは、全て、光テープ媒体の幅以内に位置する。このような構成によると、各光学ヘッドが浮上スライダ型のヘッドである場合には、各列の両端に位置しない光学ヘッドと同様に、各列の両端に位置する光学ヘッドの全体を光テープ媒体に対向させることができ、従って、当該両端に位置する光学ヘッドを光テープ媒体に対して適切に浮上配置させることができる。
【発明を実施するための最良の形態】
【００１７】
図１および図２は、本発明に係る光テープ装置Ｘ１を表す。図１は、光テープ装置Ｘ１の一部の構成を模式的に表す平面図であり、図２は、光テープ装置Ｘ１の部分拡大断面図である。光テープ装置Ｘ１は、光磁気記録媒体である光テープ１０と、これに対向して配置される複数の記録再生ヘッド２０とを備え、パラレル転送を伴った情報記録および情報再生を光テープ１０について実行することができるように構成されている。
【００１８】
光テープ１０は、図２に示すように、テープ基材１１および記録膜１２を含む積層構造を有し、本実施形態では上述のように光磁気記録媒体として構成されたものである。テープ基材１１は例えばＰＥＴフィルムよりなる。また、テープ基材１１における記録膜１２側には、相互に平行にテープ延び方向に延びる複数条のプリグルーブ（図示略）が形成されており、当該プリグルーブを基に、光テープ１０におけるランドグルーブ形状（図示略）が形成される。記録膜１２は、熱磁気的な記録および磁気光学効果を利用した再生という２つの機能を担うことが可能な磁性構造を有し、再生方式に応じた１層または２層以上の磁性膜よりなる。当該磁性膜は、希土類−遷移金属アモルファス合金垂直磁化膜である。記録膜１２には、相互に平行にテープ延び方向に延びる複数条のトラック（図示せず）が構成されている。各トラックは、光テープ１０におけるランド部（図示略）やグルーブ部（図示略）に沿って延びる。光テープ１０の積層構造中には、必要に応じて他の膜が含まれてもよい。このような光テープ１０は、図外の一対の巻き取りリール間にて、図１に示す矢印Ａ方向に送り出し制御可能とされ且つ矢印Ｂ方向にも送り出し制御可能とされている。
【００１９】
複数の記録再生ヘッド２０は、各々、図２に示すように、スライダ部２１と、レンズ２２と、レンズアクチュエータ２３と、ヘッドボディ２４とを備え、本発明における光学ヘッドに相当する。
【００２０】
スライダ部２１は、レンズ２１ａおよび記録コイル２１ｂを有し、図外の光源（例えば半導体レーザダイオードからなる）から出射されて所定の経路を経た記録用または再生用のレーザビームＬが通過可能に（即ち、所定箇所からレーザビームＬが出射可能に）構成されている。レンズ２１ａは、レーザビームＬを光テープ１０上にて集束させるための対物レンズである。集束されたレーザビームＬは、光テープ１０表面上に照射スポットを形成することとなる。記録コイル２１ｂは、光テープ１０の記録膜１２に所定強度の記録磁界を印加するためのものであり、スライダ部２１内に埋め込み形成されている。このようなスライダ部２１は、板バネ状のサスペンション２５を介して図外の所定のアクチュエータに連結されている。
【００２１】
レンズ２２は、上述のレンズ２１ａと協働してレーザビームＬを光テープ１０上にて集束させるためのものであり、レンズアクチュエータ２３により図中上下方向に位置制御可能に設けられている。レンズアクチュエータ２３は、例えば電磁的な駆動力によりレンズ２２を変位させることが可能に構成されている。ヘッドボディ２４は、少なくともこれらレンズ２２およびレンズアクチュエータ２３を内部に支持し、所定のアクチュエータに機械的に連結されている。
【００２２】
以上の構成を有する各記録再生ヘッド２０は、レーザビームＬについて焦点サーボ可能に、光テープ１０の幅方向Ｄ（即ちトラック横断方向）に位置決め制御可能に、且つ、トラッキングサーボ可能に、構成されている。
【００２３】
光テープ装置Ｘ１では、図１に示すように、Ｎ1個の記録再生ヘッド２０が幅方向Ｄに相互に離隔して一列に配され、各列同数の記録再生ヘッド列がＮ2列設けられている。また、異なる列に属する記録再生ヘッド２０どうしは、幅方向Ｄにおいて位置ずれしている。図１では、図の簡潔化の観点より、記録再生ヘッド２０の外郭形状を矩形に簡略化して表す。光テープ１０の幅方向Ｄにおける記録再生ヘッド２０の位置とは、記録再生ヘッド２０から出射されたレーザビームＬが光テープ１０上に形成する照射スポットの、幅方向Ｄにおける位置とする。そして、光テープ１０の記録膜１２には複数条のトラックが構成されるところ、各記録再生ヘッド２０には、幅方向Ｄにおける所定領域内の複数のトラックが割り当てられている。例えば、同一列に属するＮ1個の記録再生ヘッド２０には、各々、例えば図２に示すような領域Ｒ１〜Ｒｎ内に位置する複数のトラックが割り当てられる。
【００２４】
光テープ装置Ｘ１での情報記録の実行時には、各記録再生ヘッド２０を、割り当てられた複数のトラックから適宜選択される目的トラックに対して動作させる。具体的には、情報記録時には、割り当てられた複数のトラックから選択された目的トラックの幅方向位置に各記録再生ヘッド２０を位置決め制御した後、光テープ１０を図１の矢印Ａ方向または矢印Ｂ方向に適時送り出し制御しつつ、レンズ２１ａを通過して各記録再生ヘッド２０から出射した記録用のレーザビームＬを記録膜１２の各目的トラックに向けて照射することにより、記録膜１２の各所を局所的に順次昇温させる。これとともに、これら昇温箇所に対し、各記録再生ヘッド２０の記録コイル１２ｂにより記録磁界を印加する。このようにして、記録膜１２には、所定のＮ1本のトラックに沿って各々に所定の信号が記録される。具体的には、記録膜１２には、トラックごとに、交互に磁化が反転し且つ記録信号に応じた所定の長さを各々が有する複数の磁区（記録マーク）が形成される。このような情報記録の実行中には、各記録再生ヘッド２０のレーザビームＬについて焦点サーボをかけ続け、且つ、各記録再生ヘッド２０についてトラッキングサーボをかけ続ける。光テープ装置Ｘ１では、以上のようにして、複数のトラックについて並列的に情報記録を実行することができる。
【００２５】
光テープ装置Ｘ１での情報再生の実行時には、各記録再生ヘッド２０を、割り当てられた複数のトラックから適宜選択される目的トラックに対して動作させる。具体的には、情報再生時には、割り当てられた複数のトラックから選択された目的トラックの幅方向位置に各記録再生ヘッド２０を位置決め制御した後、光テープ１０を図１の矢印Ａ方向または矢印Ｂ方向に適時送り出し制御しつつ、レンズ２１ａを通過して各記録再生ヘッド２０から出射した再生用のレーザビームＬを記録膜１２の各目的トラックに向けて照射し、記録膜１２にて反射された光の偏光角度の変化を検知する。このようにして、所定のＮ1本のトラックに沿って、記録膜１２内の記録信号を読み取ることができる。このような情報再生の実行中には、各記録再生ヘッド２０のレーザビームＬについて焦点サーボをかけ続け、且つ、各記録再生ヘッド２０についてトラッキングサーボをかけ続ける。光テープ装置Ｘ１では、以上のようにして、複数のトラックについて並列的に情報再生を実行することができる。
【００２６】
光テープ装置Ｘ１においては、所定の一列に属して隣り合う記録再生ヘッド２０が所定距離を下回って接近することができないために当該一列に属するいずれの記録再生ヘッド２０によってもレーザビーム照射することができない領域（光テープ１０の幅方向Ｄにおいて想定される領域）が光テープ１０において存在するが、他の少なくとも一列の複数の記録再生ヘッド２０を、当該少なくとも一列に属するいずれかの記録再生ヘッド２０から当該領域に対してレーザビーム照射することができるように、配置することができる。すなわち、光テープ装置Ｘ１では、幅方向Ｄにおける記録膜１２の全領域に対し、いずれかの記録再生ヘッド２０からレーザビーム照射するように構成することが可能なのである。したがって、光テープ装置Ｘ１によると、幅方向Ｄにおける記録膜１２の全領域に、情報記録や情報再生に利用できるトラックを構成することができる（すなわち、情報記録や情報再生に利用できるトラックを事実上構成することができない空き領域が光テープ１０にて生じてしまうのを回避することができる）。このような光テープ装置Ｘ１によると、光テープ１０に対して充分に高い記録密度で情報記録を実行することが可能であり、従って、光テープ１０について充分な高記録密度化を図ることが可能である。
【００２７】
図３は、光テープ装置Ｘ１の具備する記録再生ヘッド２０の総数が４である場合の記録再生ヘッド配置態様を模式的に表す平面図である。図４および図５は、各々、光テープ装置Ｘ１の具備する記録再生ヘッド２０の総数が８である場合の一の記録再生ヘッド配置態様を模式的に表す平面図である。図６および図７は、各々、光テープ装置Ｘ１の具備する記録再生ヘッド２０の総数が１６である場合の一の記録再生ヘッド配置態様を模式的に表す平面図である。
【００２８】
光テープ装置Ｘ１においては、記録再生ヘッド２０の総数Ｎ0が２n（ｎは２以上の整数）である場合、Ｎ0と、光テープ１０の幅Ｗ1と、各記録再生ヘッド２０の幅（全て同じとする）Ｗ2とを設計上設定すると、上記の式（１）〜（３）に基づいて、光テープ１０に対する全記録再生ヘッド２０の配置すなわちＮ1，Ｎ2を効率よく決定することができる。
【００２９】
例えば、Ｎ0を８、Ｗ1を８.０（ｍｍ）、且つＷ2を２.０（ｍｍ）と設定すると、式（１）からＮ1’＝４が得られ、式（２）からＮ1が４と決定され且つ式（３）からＮ2が２と決定される。
【００３０】
Ｎ0を８、Ｗ1を８.０（ｍｍ）、且つＷ2を３.０（ｍｍ）と設定すると、式（１）からＮ1’＝２が得られ、式（２）からＮ1が２と決定され且つ式（３）からＮ2が４と決定される。
【００３１】
Ｎ0を８、Ｗ1を８.０（ｍｍ）、且つＷ2を４.０（ｍｍ）と設定すると、式（１）からＮ1’＝２が得られ、式（２）からＮ1が２と決定され且つ式（３）からＮ2が４と決定される。
【００３２】
Ｎ0を８、Ｗ1を１２.６（ｍｍ）、且つＷ2を３.０（ｍｍ）と設定すると、式（１）からＮ1’＝４が得られ、式（２）からＮ1が４と決定され且つ式（３）からＮ2が２と決定される。
【００３３】
Ｎ0を８、Ｗ1を１２.６（ｍｍ）、且つＷ2を４.０（ｍｍ）と設定すると、式（１）からＮ1’＝３が得られ、式（２）からＮ1が２と決定され且つ式（３）からＮ2が４と決定される。
【００３４】
Ｎ0を８、Ｗ1を１２.６（ｍｍ）、且つＷ2を５.０（ｍｍ）と設定すると、式（１）からＮ1’＝２が得られ、式（２）からＮ1が２と決定され且つ式（３）からＮ2が４と決定される。
【００３５】
Ｎ0を８、Ｗ1を１２.６（ｍｍ）、且つＷ2を６.０（ｍｍ）と設定すると、式（１）からＮ1’＝２が得られ、式（２）からＮ1が２と決定され且つ式（３）からＮ2が４と決定される。
【００３６】
Ｎ0を８、Ｗ1を１６.０（ｍｍ）、且つＷ2を３.０（ｍｍ）と設定すると、式（１）からＮ1’＝５が得られ、式（２）からＮ1が４と決定され且つ式（３）からＮ2が２と決定される。
【００３７】
Ｎ0を８、Ｗ1を１６.０（ｍｍ）、且つＷ2を４.０（ｍｍ）と設定すると、式（１）からＮ1’＝４が得られ、式（２）からＮ1が４と決定され且つ式（３）からＮ2が２と決定される。
【００３８】
Ｎ0を８、Ｗ1を１６.０（ｍｍ）、且つＷ2を５.０（ｍｍ）と設定すると、式（１）からＮ1’＝３が得られ、式（２）からＮ1が２と決定され且つ式（３）からＮ2が４と決定される。
【００３９】
Ｎ0を８、Ｗ1を１６.０（ｍｍ）、且つＷ2を６.０（ｍｍ）と設定すると、式（１）からＮ1’＝２が得られ、式（２）からＮ1が２と決定され且つ式（３）からＮ2が４と決定される。
【００４０】
Ｎ0を８、Ｗ1を１６.０（ｍｍ）、且つＷ2を７.０（ｍｍ）と設定すると、式（１）からＮ1’＝２が得られ、式（２）からＮ1が２と決定され且つ式（３）からＮ2が４と決定される。
【００４１】
Ｎ0を８、Ｗ1を１６.０（ｍｍ）、且つＷ2を８.０（ｍｍ）と設定すると、式（１）からＮ1’＝２が得られ、式（２）からＮ1が２と決定され且つ式（３）からＮ2が４と決定される。
【００４２】
光テープ装置Ｘ１においては、例えば以上のようにして、上記の式（１）〜（３）に基づいて全記録再生ヘッド２０の配置すなわちＮ1，Ｎ2を効率よく決定することができるのである。
【図面の簡単な説明】
【００４３】
【図１】本発明に係る光テープ装置の一部の構成を模式的に表す平面図である。
【図２】本発明に係る光テープ装置の、光テープ幅方向に延びる部分拡大断面図である。
【図３】本発明に係る光テープ装置の具備する記録再生ヘッドの総数が４である場合の記録再生ヘッド配置態様を模式的に表す平面図である。
【図４】本発明に係る光テープ装置の具備する記録再生ヘッドの総数が８である場合の一の記録再生ヘッド配置態様を模式的に表す平面図である。
【図５】本発明に係る光テープ装置の具備する記録再生ヘッドの総数が８である場合の他の記録再生ヘッド配置態様を模式的に表す平面図である。
【図６】本発明に係る光テープ装置の具備する記録再生ヘッドの総数が１６である場合の一の記録再生ヘッド配置態様を模式的に表す平面図である。
【図７】本発明に係る光テープ装置の具備する記録再生ヘッドの総数が１６である場合の一の記録再生ヘッド配置態様を模式的に表す平面図である。
【図８】光テープ媒体について情報記録や情報再生を実行するための従来の光テープ装置の一部の構成を模式的に表す平面図である。
【図９】図８の線IX−IXに沿った拡大断面図である。
【図１０】光テープ媒体について情報記録や情報再生を実行するための従来の他の光テープ装置の一部の構成を模式的に表す平面図である。
【図１１】図１０の線XI−XIに沿った拡大断面図である。
【符号の説明】
【００４４】
Ｘ１，Ｘ２，Ｘ３      光テープ装置
１０，８１      光テープ
１２      記録膜
２０      記録再生ヘッド
２１      スライダ部
２１ａ，２２      レンズ
２１ｂ      記録コイル
Ｌ      レーザビーム
【図１】
2006286070.tif 000005
【図２】
2006286070.tif 000006
【図３】
2006286070.tif 000007
【図４】
2006286070.tif 000008
【図５】
2006286070.tif 000009
【図６】
2006286070.tif 000010
【図７】
2006286070.tif 000011
【図８】
2006286070.tif 000012
【図９】
2006286070.tif 000013
【図１０】
2006286070.tif 000014
【図１１】
2006286070.tif 000015